(57)【要約】      （修正有）【課題】ユニキャスト送信のために、未使用のマルチメディア・ブロードキャスト・オーバ・シングル周波数ネットワーク（ＭＢＳＦＮ）サブフレームを利用するための方法および装置を提供する。【解決手段】サブフレームをＭＢＳＦＮサブフレームと非ＭＢＳＦＮサブフレームとして設定する５０２。ＭＢＳＦＮサブフレームの送信されるべきユニキャスト・メッセージを生成する５０４。サービス提供ＭＢＭＳのレート変動によって一定数のＭＢＳＦＮサブフレームが未使用のままである場合、ＡＰはＭＢＳＦＮサブフレームを使用することを決定しうる。送信されるべき基準信号のパターンを物理ダウンリンク共有チャネル送信スキームにより決定する５０６。決定されたパターンにしたがってＭＢＳＦＮサブフレームを送信する５０８。【選択図】図５
2014239452.tif 000002
【特許請求の範囲】
【請求項１】
無線通信のための方法であって、
フレームの１または複数のサブフレームを、マルチメディア・ブロードキャスト／マルチキャスト・サービス・オーバ・シングル周波数ネットワーク（ＭＢＳＦＮ：Multimedia Broadcast/Multicast Services over a Single Frequency Network）サブフレームとして、１または複数のサブフレームを、非ＭＢＳＦＮサブフレームとして設定することと、
前記ＭＢＳＦＮサブフレームのうちの少なくとも１つで送信されるべきユニキャスト・メッセージを生成することと、
前記ユニキャスト・メッセージとともに少なくとも１つのＭＢＳＦＮサブフレームにおいて送信されるべき１または複数の基準信号（ＲＳ）のパターンを決定することと、ここで、前記パターンは、非ＭＢＳＦＮサブフレームで送信されるべき別の１または複数のＲＳのためのパターンに基づいて決定される、
前記少なくとも１つのＭＢＳＦＮサブフレームにおいて決定されたパターンにしたがって、前記ＲＳとともに、前記ユニキャスト・メッセージを含む前記少なくとも１つのＭＢＳＦＮサブフレームを送信することと、
を含む方法。
【請求項２】
前記決定することは、前記少なくとも１つのＭＢＳＦＮサブフレームで送信されるべきＲＳのために、非ＭＢＳＦＮサブフレームで送信されるべき別のＲＳのために使用されるものと同じパターンを用いることを備える、請求項１に記載の方法。
【請求項３】
前記パターンは、物理ダウンリンク共有チャネル（ＰＤＳＣＨ）送信スキームに基づいて決定される、請求項１に記載の方法。
【請求項４】
前記パターンは、ＣＲＳベースのＰＤＳＣＨ送信スキームのための共通の基準信号（ＣＲＳ）パターンを備える、請求項３に記載の方法。
【請求項５】
前記パターンは、ユーザ機器に特有の基準信号パターン（ＵＥ−ＲＳ）を、ＵＥ−ＲＳベースのＰＤＳＣＨ送信スキームに備える、請求項３に記載の方法。
【請求項６】
前記少なくとも１つのＭＢＳＦＮサブフレームは、共通の基準信号（ＣＲＳ）を含んでいない、請求項１に記載の方法。
【請求項７】
前記少なくとも１つのＭＢＳＦＮサブフレームに応じて、ハイブリッド自動的反復要求（ＨＡＲＱ）アクノレッジメントを受信すること、をさらに備える請求項１に記載の方法。
【請求項８】
アップリンク・サブフレームで少なくとも１つのハイブリッド自動反復要求（ＨＡＲＱ）アクノレッジメントを受信することをさらに備え、
前記アップリンク・サブフレームは、複数のダウンリンク（ＤＬ）サブフレームのためのＨＡＲＱフィードバックを提供し、前記ダウンリンク・サブフレームのうちの少なくとも１つは、ＭＢＳＦＮサブフレームである、請求項１に記載の方法。
【請求項９】
前記少なくとも１つのＭＢＳＦＮサブフレームがユニキャスト送信をサポートしない場合、前記ＨＡＲＱアクノレッジメントは、前記アップリンク・サブフレームで受信されない、請求項８に記載の方法。
【請求項１０】
前記複数のダウンリンク・サブフレームは、異なるサブキャリアで送信される、請求項８に記載の方法。
【請求項１１】
ユニキャスト送信をサポートするＭＢＳＦＮサブフレーム数を示す情報を用いて、１または複数のＵＥにシグナリングすることをさらに備える、請求項８に記載の方法。
【請求項１２】
ユニキャスト送信のために使用される少なくとも１つのＭＢＳＦＮサブフレームのために、サブフレーム全体において、単一タイプのサイクリック・プレフィクスが使用される、請求項１に記載の方法。
【請求項１３】
無線通信のための方法であって、
マルチメディア・ブロードキャスト／マルチキャスト・サービス・オーバ・シングル周波数ネットワーク（ＭＢＳＦＮ：Multimedia Broadcast/Multicast Services over a Single Frequency Network）サブフレームとして設定されたフレームのうちの少なくとも１つのサブフレームにおいてユニキャスト・メッセージを受信することと、
前記ＭＢＳＦＮサブフレームにおいて、前記ユニキャスト・メッセージとともに受信された１または複数の基準信号（ＲＳ）を測定することとを備え、
前記ＲＳは、非ＭＢＳＦＮサブフレームで受信されたＲＳのためのパターンに基づいて決定されたパターンで受信される、方法。
【請求項１４】
前記ＲＳは、非ＭＢＳＦＮサブフレームで受信されたＲＳのために使用されるものと同じパターンのＭＢＳＦＮサブフレームで受信される、請求項１３に記載の方法。
【請求項１５】
１または複数の非ＭＢＳＦＮサブフレームのアクノレッジメントを送信することをさらに備える、請求項１３に記載の方法。
【請求項１６】
前記ユニキャスト・メッセージが、前記少なくとも１つのＭＢＳＦＮサブフレームにおいて受信された場合、アップリンク・サブフレームでハイブリッド自動反復要求（ＨＡＲＱ）アクノレッジメントを送信することをさらに備える、請求項１３に記載の方法。
【請求項１７】
アップリンク・サブフレームで少なくとも１つのハイブリッド自動反復要求（ＨＡＲＱ）アクノレッジメントを送信することをさらに備え、
前記アップリンク・サブフレームは、複数のダウンリンク（ＤＬ）サブフレームのためのＨＡＲＱフィードバックを提供し、前記ＤＬサブフレームのうちの少なくとも１つは、ＭＢＳＦＮサブフレームである、請求項１３に記載の方法。
【請求項１８】
前記少なくとも１つのＭＢＳＦＮサブフレームが前記ユニキャスト・メッセージをサポートしない場合、前記ＨＡＲＱアクノレッジメントは、前記アップリンク・サブフレームで送信されない、請求項１７に記載の方法。
【請求項１９】
前記複数のダウンリンク（ＤＬ）サブフレームは、異なるサブキャリアで受信される、請求項１７に記載の方法。
【請求項２０】
ユニキャスト送信のために使用される少なくとも１つのＭＢＳＦＮサブフレームのために、サブフレーム全体において、単一タイプのサイクリック・プレフィクスが使用される、請求項１３に記載の方法。
【請求項２１】
無線通信のための装置であって、
フレームの１または複数のサブフレームを、マルチメディア・ブロードキャスト／マルチキャスト・サービス・オーバ・シングル周波数ネットワーク（ＭＢＳＦＮ：Multimedia Broadcast/Multicast Services over a Single Frequency Network）サブフレームとして、１または複数のサブフレームを、非ＭＢＳＦＮサブフレームとして設定する手段と、
前記ＭＢＳＦＮサブフレームのうちの少なくとも１つで送信されるべきユニキャスト・メッセージを生成する手段と、
前記ユニキャスト・メッセージとともに少なくとも１つのＭＢＳＦＮサブフレームにおいて送信されるべき１または複数の基準信号（ＲＳ）のパターンを決定する手段と、ここで、前記パターンは、非ＭＢＳＦＮサブフレームで受信されるべき別の１または複数のＲＳのためのパターンに基づいて決定される、
前記少なくとも１つのＭＢＳＦＮサブフレームにおいて決定されたパターンにしたがって、前記ＲＳとともに、前記ユニキャスト・メッセージを含む前記少なくとも１つのＭＢＳＦＮサブフレームを送信する手段と、
を備える装置。
【請求項２２】
前記決定する手段は、前記少なくとも１つのＭＢＳＦＮサブフレームで送信されるべき前記ＲＳのために、非ＭＢＳＦＮサブフレームで送信されるべき別のＲＳのために使用されるものと同じパターンを用いる手段を備える、請求項２１に記載の装置。
【請求項２３】
前記パターンは、物理ダウンリンク共有チャネル（ＰＤＳＣＨ）送信スキームに基づいて決定される、請求項２１に記載の装置。
【請求項２４】
前記パターンは、ＣＲＳベースのＰＤＳＣＨ送信スキームのための共通の基準信号（ＣＲＳ）パターンを備える、請求項２３に記載の装置。
【請求項２５】
前記パターンは、ユーザ機器に特有の基準信号パターン（ＵＥ−ＲＳ）を、ＵＥ−ＲＳベースのＰＤＳＣＨ送信スキームに備える、請求項２３に記載の装置。
【請求項２６】
前記少なくとも１つのＭＢＳＦＮサブフレームは、共通の基準信号（ＣＲＳ）を含んでいない、請求項２１に記載の装置。
【請求項２７】
前記少なくとも１つのＭＢＳＦＮサブフレームに応じて、ハイブリッド自動的反復要求（ＨＡＲＱ）アクノレッジメントを受信する手段をさらに備える、請求項２１に記載の装置。
【請求項２８】
アップリンク・サブフレームで少なくとも１つのハイブリッド自動反復要求（ＨＡＲＱ）アクノレッジメントを受信する手段をさらに備え、
前記アップリンク・サブフレームは、複数のダウンリンク（ＤＬ）サブフレームのためのＨＡＲＱフィードバックを提供し、前記ダウンリンク・サブフレームのうちの少なくとも１つは、ＭＢＳＦＮサブフレームである、請求項２１に記載の装置。
【請求項２９】
前記少なくとも１つのＭＢＳＦＮサブフレームがユニキャスト送信をサポートしない場合、前記ＨＡＲＱアクノレッジメントは、前記アップリンク・サブフレームで受信されない、請求項２８に記載の装置。
【請求項３０】
前記複数のダウンリンク・サブフレームは、異なるサブキャリアで送信される、請求項２８に記載の装置。
【請求項３１】
ユニキャスト送信をサポートするＭＢＳＦＮサブフレーム数を示す情報を用いて、１または複数のＵＥにシグナリングする手段をさらに備える、請求項２８に記載の装置。
【請求項３２】
ユニキャスト送信のために使用される少なくとも１つのＭＢＳＦＮサブフレームのために、サブフレーム全体において、単一タイプのサイクリック・プレフィクスが使用される、請求項２１に記載の装置。
【請求項３３】
無線通信のための装置であって、
マルチメディア・ブロードキャスト／マルチキャスト・サービス・オーバ・シングル周波数ネットワーク（ＭＢＳＦＮ：Multimedia Broadcast/Multicast Services over a Single Frequency Network）サブフレームとして設定された少なくとも１つのサブフレームにおいてユニキャスト・メッセージを受信する手段と、
前記ＭＢＳＦＮサブフレームにおいて、前記ユニキャスト・メッセージとともに受信された１または複数の基準信号（ＲＳ）を測定する手段とを備え、
前記ＲＳは、非ＭＢＳＦＮサブフレームで受信されたＲＳのためのパターンに基づいて決定されたパターンで受信される、装置。
【請求項３４】
前記ＲＳは、非ＭＢＳＦＮサブフレームで受信されたＲＳのために使用されるものと同じパターンのＭＢＳＦＮサブフレームで受信される、請求項３３に記載の装置。
【請求項３５】
１または複数の非ＭＢＳＦＮサブフレームのアクノレッジメントを送信する手段をさらに備える、請求項３３に記載の装置。
【請求項３６】
前記ユニキャスト・メッセージが、前記少なくとも１つのＭＢＳＦＮサブフレームにおいて受信された場合、アップリンク・サブフレームでハイブリッド自動反復要求（ＨＡＲＱ）アクノレッジメントを送信する手段をさらに備える、請求項３３に記載の装置。
【請求項３７】
アップリンク・サブフレームで少なくとも１つのハイブリッド自動反復要求（ＨＡＲＱ）アクノレッジメントを送信する手段をさらに備え、
前記アップリンク・サブフレームは、複数のダウンリンク（ＤＬ）サブフレームのためのＨＡＲＱフィードバックを提供し、前記ＤＬサブフレームのうちの少なくとも１つは、ＭＢＳＦＮサブフレームである、請求項３３に記載の装置。
【請求項３８】
前記少なくとも１つのＭＢＳＦＮサブフレームが前記ユニキャスト・メッセージをサポートしない場合、前記ＨＡＲＱアクノレッジメントは、前記アップリンク・サブフレームで送信されない、請求項３７に記載の装置。
【請求項３９】
前記複数のダウンリンク（ＤＬ）サブフレームは、異なるサブキャリアで受信される、請求項３７に記載の装置。
【請求項４０】
ユニキャスト送信のために使用される少なくとも１つのＭＢＳＦＮサブフレームのために、サブフレーム全体において、単一タイプのサイクリック・プレフィクスが使用される、請求項３３に記載の装置。
【請求項４１】
無線通信のための装置であって、
フレームの１または複数のサブフレームを、マルチメディア・ブロードキャスト／マルチキャスト・サービス・オーバ・シングル周波数ネットワーク（ＭＢＳＦＮ：Multimedia Broadcast/Multicast Services over a Single Frequency Network）サブフレームとして、１または複数のサブフレームを、非ＭＢＳＦＮサブフレームとして設定し、
前記ＭＢＳＦＮサブフレームのうちの少なくとも１つで送信されるべきユニキャスト・メッセージを生成し、
前記ユニキャスト・メッセージとともに少なくとも１つのＭＢＳＦＮサブフレームにおいて送信されるべき１または複数の基準信号（ＲＳ）のパターンを決定し、ここで、前記パターンは、非ＭＢＳＦＮサブフレームで送信されるべき別の１または複数のＲＳのためのパターンに基づいて決定される、
前記少なくとも１つのＭＢＳＦＮサブフレームにおいて決定されたパターンにしたがって、前記ＲＳとともに、前記ユニキャスト・メッセージを含む少なくとも１つのＭＢＳＦＮサブフレームを送信する、ように構成された少なくとも１つのプロセッサと、
前記少なくとも１つのプロセッサに接続されたメモリと、
を備える装置。
【請求項４２】
無線通信のための装置であって、
マルチメディア・ブロードキャスト／マルチキャスト・サービス・オーバ・シングル周波数ネットワーク（ＭＢＳＦＮ：Multimedia Broadcast/Multicast Services over a Single Frequency Network）サブフレームとして設定された少なくとも１つのサブフレームにおいてユニキャスト・メッセージを受信し、
前記ＭＢＳＦＮサブフレームにおいて、前記ユニキャスト・メッセージとともに受信された１または複数の基準信号（ＲＳ）を測定し、
ここで、前記ＲＳは、非ＭＢＳＦＮサブフレームで受信されたＲＳのためのパターンに基づいて決定されたパターンで受信される、
ように構成された少なくとも１つのプロセッサと、
前記少なくとも１つのプロセッサに接続されたメモリと、
を備える装置。
【請求項４３】
無線通信のためのコンピュータ・プログラム製品であって、
フレームの１または複数のサブフレームを、マルチメディア・ブロードキャスト／マルチキャスト・サービス・オーバ・シングル周波数ネットワーク（ＭＢＳＦＮ：Multimedia Broadcast/Multicast Services over a Single Frequency Network）サブフレームとして、１または複数のサブフレームを、非ＭＢＳＦＮサブフレームとして設定し、
前記ＭＢＳＦＮサブフレームのうちの少なくとも１つで送信されるべきユニキャスト・メッセージを生成し、
前記ユニキャスト・メッセージとともに少なくとも１つのＭＢＳＦＮサブフレームにおいて送信されるべき１または複数の基準信号（ＲＳ）のパターンを決定し、ここで、前記パターンは、非ＭＢＳＦＮサブフレームで送信されるべき別の１または複数のＲＳのためのパターンに基づいて決定される、
前記少なくとも１つのＭＢＳＦＮサブフレームにおいて決定されたパターンにしたがって、前記ＲＳとともに、前記ユニキャスト・メッセージを含む前記少なくとも１つのＭＢＳＦＮサブフレームを送信する、
ためのコードを備えるコンピュータ読取可能な媒体を備える、コンピュータ・プログラム製品。
【請求項４４】
無線通信のためのコンピュータ・プログラム製品であって、
マルチメディア・ブロードキャスト／マルチキャスト・サービス・オーバ・シングル周波数ネットワーク（ＭＢＳＦＮ：Multimedia Broadcast/Multicast Services over a Single Frequency Network）サブフレームとして設定された少なくとも１つのサブフレームにおいてユニキャスト・メッセージを受信し、
前記ＭＢＳＦＮサブフレームにおいて、前記ユニキャスト・メッセージとともに受信された１または複数の基準信号（ＲＳ）を測定し、
前記ＲＳは、非ＭＢＳＦＮサブフレームで受信されたＲＳのためのパターンに基づいて決定されたパターンで受信される、
ためのコードを備えるコンピュータ読取可能な媒体を備える、コンピュータ・プログラム製品。
【発明の詳細な説明】
【優先権主張】
【０００１】
本特許出願は、本特許出願の譲受人に譲渡され本明細書において参照によって明確に組み込まれ２００９年１０月６日に出願された「ユニキャストのためのＭＢＳＦＮサブフレーム生成および処理」（MBSFN Subframe Generation and Processing for Unicast）と題された米国仮特許出願６１／２４９，１２７号の利益を主張する。
【技術分野】
【０００２】
以下の記載は、一般に、無線通信システムに関し、さらに詳しくは、ユニキャスト送信のための、マルチメディア・ブロードキャスト／マルチキャスト・サービス・オーバ・シングル周波数ネットワーク（ＭＢＳＦＮ：Multimedia Broadcast/Multicast Services over Single Frequency Network）サブフレームの効率的な使用に関する。
【背景技術】
【０００３】
無線通信システムは、例えば音声、データ等のような様々なタイプの通信コンテンツを提供するために広く開発された。これらのシステムは、（例えば、帯域幅、送信電力等のような）利用可能なシステム・リソースを共有することにより、複数のユーザとの通信をサポートすることができる多元接続システムでありうる。このような多元接続システムの例は、符号分割多元接続（ＣＤＭＡ）システムや、時分割多元接続（ＴＤＭＡ）システムや、周波数分割多元接続（ＦＤＭＡ）システムや、イボルブド・ユニバーサル地上ラジオ・アクセス（Ｅ−ＵＴＲＡ）システムおよび直交周波数分割中接続（ＯＦＤＭＡ）システムを含む第３世代パートナシップ計画（３ＧＰＰ）ロング・ターム・イボリューション・システムを含む。
【０００４】
直交周波数分割多重（ＯＦＤＭ）通信システムは、システム帯域幅全体を、周波数サブ・チャネル、トーン、または周波数ビンとも称される、複数のサブキャリアへと効率的に分割する。ＯＦＤＭシステムの場合、送信されるべきデータ（例えば、情報ビット）は、まず、特定の符号化スキームを用いて符号化され、符号化されたビットが生成される。そして、符号化されたビットはさらに、複数のビット・シンボルへグループ化される。これらはその後、変調シンボルへマップされる。変調シンボルはおのおのの、データ送信のために使用される特定の変調スキーム（例えば、Ｍ−ＰＳＫ（フェーズ・シフト・キーイング）あるいはＭ−ＱＡＭ（直交振幅変調）。ここでＭは、２の累乗）によって定義された信号コンステレーションにおけるポイントに対応する。おのおのの周波数サブキャリアの帯域幅に依存しうる各時間インタバルにおいて、周波数サブキャリアのおのおので変調シンボルが送信される。したがって、ＯＦＤＭは、システム帯域幅にわたる別の減衰量によって特徴付けられる周波数選択フェージングによって引き起こされるシステム間干渉（ＩＳＩ）と格闘するために使用されうる。
【０００５】
一般に、無線多元接続通信システムは、順方向リンクおよび逆方向リンクによる送信によって１または複数の基地局と通信する複数の無線端末のための通信を同時にサポートしうる。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、複数入力単一出力システム、あるいは複数入力複数出力（ＭＩＭＯ）システムによって確立されうる。
【０００６】
ＭＩＭＯ無線システムは、データ送信のために、複数（ＮＴ個）の送信アンテナと、複数（ＮＲ個）の受信アンテナとを使用する。ＮＴ個の送信アンテナおよびＮＲ個の受信アンテナによって形成されるＭＩＭＯチャネルは、ＮＳ個の空間ストリームへ分割されうる。ここで、すべての実用目的のために、ＮＳ≦ｍｉｎ｛ＮＴ，ＮＲ｝である。ＮＳ個の空間のストリームは、より大きな全体スループットを達成するために、ＮＳ個の独立したデータ・ストリームを送信するために使用されうる。
【０００７】
ＭＩＭＯシステムはまた、時分割デュプレクス（ＴＤＤ）システム、および周波数分割デュプレクス（ＦＤＤ）システムをサポートする。ＴＤＤシステムでは、相互原理によって、逆方向リンク・チャネルから順方向リンク・チャネルを推定できるように、順方向リンク送信と逆方向リンク送信とが、同じ周波数領域にある。これによって、アクセス・ポイント（ＡＰ）は、ＡＰにおいて複数のアンテナが利用可能である場合、順方向リンクで、送信ビームフォーミング利得を抽出できるようになる。ＦＤＤシステムでは、順方向リンク送信および逆方向リンク送信は、異なる周波数領域にある。したがって、順方向リンク・チャネルおよび逆方向リンク・チャネルは、明確に推定されうる。
【０００８】
マルチメディア・ブロードキャスト／マルチキャスト・サービス（ＭＢＭＳ）は、受信機の大きなセットに、マルチメディア・コンテンツの同時配信を提供する。
【０００９】
ＭＢＭＳは、３つの一般的なエリア・ベアラ・サービス、すなわち、配信方法、ユーザ・サービス、およびアプリケーションへ分割されうる。ＭＢＭＳベアラ・サービスは、効率的な方式で受信機のグループへインターネット・プロトコル（ＩＰ）トラフィックを伝送するビット・パイプを提供する。例えば、ストリーミングやファイル・ダウンロードのような２つの配信方法が、ＭＢＳＭにおいて定義されうる。ストリーミング配信方法は、例えば、モバイル・テレビジョン・チャネルにおけるように、直ちに視聴するためのマルチメディア・コンテンツの配信のためのプロトコルを定義する。ファイル・ダウンロード配信方法は、受信機における記録および後に視聴するためのマルチメディア・ファイルのファイル・ストリーミングを可能にする。ＭＢＭＳユーザ・サービスは、異なる配信方法、すなわち、所望されるアプリケーションをユーザに提供するためのユニキャスト接続サービスおよびＭＢＭＳベアラ・サービスを適用することができる。
【発明の概要】
【００１０】
本開示のある態様は、無線通信のための方法を提供する。この方法は一般に、１または複数のサブフレームを、マルチメディア・ブロードキャスト／マルチキャスト・サービス・オーバ・シングル周波数ネットワーク（ＭＢＳＦＮ：Multimedia Broadcast/Multicast Services over Single Frequency Network）サブフレームとして、１または複数のサブフレームを、非ＭＢＳＦＮサブフレームとして設定することと、ＭＢＳＦＮサブフレームのうちの少なくとも１つで送信されるべきユニキャスト・メッセージを生成することと、ユニキャスト・メッセージとともに少なくとも１つのＭＢＳＦＮサブフレームにおいて送信されるべき１または複数の基準信号（ＲＳ）のパターンを決定することと、ここで、このパターンは、非ＭＢＳＦＮサブフレームで送信されるべき別の１または複数のＲＳのためのパターンに基づいて決定される、少なくとも１つのＭＢＳＦＮサブフレームにおいて決定されたパターンにしたがって、ＲＳとともに、ユニキャスト・メッセージを含む少なくとも１つのＭＢＳＦＮサブフレームを送信することと、を含む。
【００１１】
本開示のある態様は、無線通信のための方法を提供する。この方法は一般に、マルチメディア・ブロードキャスト／マルチキャスト・サービス・オーバ・シングル周波数ネットワーク（ＭＢＳＦＮ）サブフレームとして設定された少なくとも１つのサブフレームにおいてユニキャスト・メッセージを受信することと、ＭＢＳＦＮサブフレームにおいて、ユニキャスト・メッセージとともに受信された１または複数の基準信号（ＲＳ）を測定することと、を含み、ここで、ＲＳは、非ＭＢＳＦＮサブフレームで受信されたＲＳのためのパターンに基づいて決定されたパターンで受信される。
【００１２】
本開示のある態様は、無線通信のための装置を提供する。この装置は一般に、１または複数のサブフレームを、マルチメディア・ブロードキャスト／マルチキャスト・サービス・オーバ・シングル周波数ネットワーク（ＭＢＳＦＮ：Multimedia Broadcast/Multicast Services over a Single Frequency Network）サブフレームとして、１または複数のサブフレームを、非ＭＢＳＦＮサブフレームとして設定する手段と、ＭＢＳＦＮサブフレームのうちの少なくとも１つで送信されるべきユニキャスト・メッセージを生成する手段と、ユニキャスト・メッセージとともに少なくとも１つのＭＢＳＦＮサブフレームにおいて送信されるべき１または複数の基準信号（ＲＳ）のパターンを決定する手段と、ここで、このパターンは、非ＭＢＳＦＮサブフレームで送信されるべき別の１または複数のＲＳのためのパターンに基づいて決定される、少なくとも１つのＭＢＳＦＮサブフレームにおいて決定されたパターンにしたがって、ＲＳとともに、ユニキャスト・メッセージを含む少なくとも１つのＭＢＳＦＮサブフレームを送信する手段と、を含む。
【００１３】
本開示のある態様は、無線通信のための装置を提供する。この装置は一般に、マルチメディア・ブロードキャスト／マルチキャスト・サービス・オーバ・シングル周波数ネットワーク（ＭＢＳＦＮ）サブフレームとして設定された少なくとも１つのサブフレームにおいてユニキャスト・メッセージを受信する手段と、ＭＢＳＦＮサブフレームにおいて、ユニキャスト・メッセージとともに受信された１または複数の基準信号（ＲＳ）を測定する手段とを含む。ここで、ＲＳは、非ＭＢＳＦＮサブフレームで受信されたＲＳのためのパターンに基づいて決定されたパターンで受信される。
【００１４】
本開示のある態様は、無線通信のための装置を提供する。この装置は一般に、１または複数のサブフレームを、マルチメディア・ブロードキャスト／マルチキャスト・サービス・オーバ・シングル周波数ネットワーク（ＭＢＳＦＮ：Multimedia Broadcast/Multicast Services over a Single Frequency Network）サブフレームとして、１または複数のサブフレームを、非ＭＢＳＦＮサブフレームとして設定し、ＭＢＳＦＮサブフレームのうちの少なくとも１つで送信されるべきユニキャスト・メッセージを生成し、ユニキャスト・メッセージとともに少なくとも１つのＭＢＳＦＮサブフレームにおいて送信されるべき１または複数の基準信号（ＲＳ）のパターンを決定し、ここで、このパターンは、非ＭＢＳＦＮサブフレームで送信されるべき別の１または複数のＲＳのためのパターンに基づいて決定される、少なくとも１つのＭＢＳＦＮサブフレームにおいて決定されたパターンにしたがって、ＲＳとともに、ユニキャスト・メッセージを含む少なくとも１つのＭＢＳＦＮサブフレームを送信する、ように構成された少なくとも１つのプロセッサと、少なくとも１つのプロセッサに接続されたメモリとを含む。
【００１５】
本開示のある態様は、無線通信のための装置を提供する。この装置は一般に、マルチメディア・ブロードキャスト／マルチキャスト・サービス・オーバ・シングル周波数ネットワーク（ＭＢＳＦＮ）サブフレームとして設定された少なくとも１つのサブフレームにおいてユニキャスト・メッセージを受信し、ＭＢＳＦＮサブフレームにおいて、ユニキャスト・メッセージとともに受信された１または複数の基準信号（ＲＳ）を測定し、ここで、ＲＳは、非ＭＢＳＦＮサブフレームで受信されたＲＳのためのパターンに基づいて決定されたパターンで受信される、ように構成された少なくとも１つのプロセッサと、少なくとも１つのプロセッサに接続されたメモリと、を含む。
【００１６】
本開示のある態様は、１または複数のプロセッサによって実行可能な、格納された命令群を有するコンピュータ読取可能な媒体を備える、無線通信のためのコンピュータ・プログラム製品を提供する。これら命令群は一般に、１または複数のサブフレームを、マルチメディア・ブロードキャスト／マルチキャスト・サービス・オーバ・シングル周波数ネットワーク（ＭＢＳＦＮ：Multimedia Broadcast/Multicast Services over a Single Frequency Network）サブフレームとして、１または複数のサブフレームを、非ＭＢＳＦＮサブフレームとして設定し、ＭＢＳＦＮサブフレームのうちの少なくとも１つで送信されるべきユニキャスト・メッセージを生成し、ユニキャスト・メッセージとともに少なくとも１つのＭＢＳＦＮサブフレームにおいて送信されるべき１または複数の基準信号（ＲＳ）のパターンを決定し、ここで、このパターンは、非ＭＢＳＦＮサブフレームで送信されるべき別の１または複数のＲＳのためのパターンに基づいて決定される、少なくとも１つのＭＢＳＦＮサブフレームにおいて決定されたパターンにしたがって、ＲＳとともに、ユニキャスト・メッセージを含む少なくとも１つのＭＢＳＦＮサブフレームを送信する、ための命令群を含む。
【００１７】
本開示のある態様は、１または複数のプロセッサによって実行可能な、格納された命令群を有するコンピュータ読取可能な媒体を備える、無線通信のためのコンピュータ・プログラム製品を提供する。これら命令群は一般に、マルチメディア・ブロードキャスト／マルチキャスト・サービス・オーバ・シングル周波数ネットワーク（ＭＢＳＦＮ）サブフレームとして設定された少なくとも１つのサブフレームにおいてユニキャスト・メッセージを受信し、ＭＢＳＦＮサブフレームにおいて、ユニキャスト・メッセージとともに受信された１または複数の基準信号（ＲＳ）を測定するための命令群を含む。ここで、ＲＳは、非ＭＢＳＦＮサブフレームで受信されたＲＳのためのパターンに基づいて決定されたパターンで受信される。
【図面の簡単な説明】
【００１８】
本開示の上述した特徴が、より詳細に理解される方式で、簡潔に要約された上記具体的な記載が、態様に対する参照によってなされている。そして、それらの幾つかは、添付図面で例示されている。しかしながら、この記載は、その他の等しく有効な態様に対しても当てはまるので、添付図面は、本開示のある典型的な態様のみを示しており、この範囲を限定するものとして考慮されないことが注目されるべきである。
【図１】図１は、本開示のある態様にしたがう多元接続無線通信システムを例示する。
【図２】図２は、本開示のある態様にしたがう通信システムのブロック図を例示する。
【図３】図３は、本開示のある態様にしたがう無線通信システムを例示する。
【図４】図４は、マルチメディア・ブロードキャスト／マルチキャスト・サービス・オーバ・シングル周波数ネットワーク（ＭＢＳＦＮ）を適用する無線ネットワークを例示する。
【図５】図５は、本開示のある態様にしたがって、ユニキャスト送信のためにＭＢＳＦＮサブフレームを再使用するためにアクセス・ポイントによって実行されうる動作の例を例示する。
【図５Ａ】図５Ａは、図５に例示される動作を実行することが可能な構成要素の例を図示する。
【図６】図６は、本開示のある態様にしたがって、ユニキャスト送信のためにＭＢＳＦＮサブフレームを再使用するためにユーザ機器によって実行されうる動作の例を例示する。
【図６Ａ】図６Ａは、図６に例示された動作を実行することが可能な構成要素の例を例示する。
【図７】図７は、従来のＭＢＳＦＮサブフレーム構造を例示する。
【図８】図８は、本開示のある態様にしたがって、ユニキャスト送信またはトラフィックのために使用される場合におけるＭＢＳＦＮサブフレーム構造を例示する。
【図９】図９は、本開示のある態様にしたがって、ユニキャスト送信またはトラフィックのための提案されたＭＢＳＦＮサブフレーム構造を例示する。
【図１０】図１０は、ＴＤＤシステムにおけるダウンリンク・サブフレーム・バンドリング・ウィンドウを例示する。
【発明を実施するための形態】
【００１９】
さまざまな態様が、図面を参照して記載される。以下の記載では、説明の目的のために、１または複数の態様の完全な理解を提供するために、多くの具体的な詳細が述べられる。しかしながら、このような態様は、これら具体的な詳細無しで実現されることが明らかであることが明白でありうる。
【００２０】
本願で使用されるように、用語“構成要素”、“モジュール”、“システム”等は、限定される訳ではないが、ハードウェア、ファームウェア、ハードウェアとソフトウェアとの組み合わせ、ソフトウェア、あるいは実行中のソフトウェアのようなコンピュータ関連エンティティを含むことが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピューティング・デバイス上で実行中のアプリケーションと、コンピューティング・デバイスとの両方が構成要素となりうる。１または複数の構成要素は、プロセスおよび／または実行スレッド内に存在し、構成要素は、１つのコンピュータに局在化されるか、および／または、２つ以上のコンピュータに分散されうる。さらに、これらの構成要素は、さまざまなデータ構造を格納したさまざまなコンピュータ読取可能な媒体から実行可能である。これら構成要素は、例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような１または複数のデータのパケットを有する信号にしたがって、ローカル処理および／またはリモート処理によって通信することができる。
【００２１】
さらに、本明細書では、さまざまな態様が、有線端末または無線端末でありうる端末と関連して開示される。端末は、システム、デバイス、加入者ユニット、加入者局、移動局、モバイル、モバイル・デバイス、遠隔局、遠隔端末、アクセス端末、ユーザ端末、端末、通信デバイス、ユーザ・エージェント、ユーザ・デバイス、またはユーザ機器（ＵＥ）とも称されうる。無線端末は、セルラ電話、衛星電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、コンピューティング・デバイス、あるいは、無線モデムに接続されたその他の処理デバイスでありうる。さらに、本明細書では、さまざまな態様が、基地局に関して記載される。基地局は、無線端末（単数または複数）との通信のために利用され、アクセス・ポイント、ノードＢ、イボルブド・ノードＢ（ｅＮＢ）、あるいはその他いくつかの用語で称されうる。
【００２２】
さらに、用語「または」は、排他的な「または」ではなく、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する、あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００２３】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のような様々な無線通信ネットワークのために使用される。「システム」、「ネットワーク」という用語は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（Ｗ−ＣＤＭＡ）および時分割シンクロナス符号分割多元接続（ＴＤ−ＳＣＤＭＡ）を含んでいる。ＣＤＭＡ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。
【００２４】
ＯＦＤＭＡネットワークは、例えば、イボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭ（登録商標）等のようなラジオ技術を実現する。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された組織からの文書に記載されている。ＣＤＭＡ２０００は、「第３世代パートナシップ計画２」（３ＧＰＰ２）と命名された組織からの文書に記載されている。これらさまざまなラジオ技術および規格は、当該技術分野において知られている。明確にするために、これら技術のある態様は、以下において、ＬＴＥについて記載されており、ＬＴＥ用語が以下の説明の多くで使用される。例示のためにＬＴＥ用語が使用されているが、本開示のスコープを限定しないことが注目されるべきである。
【００２５】
単一キャリア変調および周波数領域等値化を利用するシングル・キャリア周波数分割多元接続（ＳＣ−ＦＤＭＡ）は、ＯＦＤＭＡシステムのものと同等のパフォーマンスと、実質的に同じ全体的な複雑さとを持つ技術である。ＳＣ−ＦＤＭＡ信号は、固有の単一キャリア構造により、低いピーク対平均電力比（ＰＡＰＲ）を有しうる。ＳＣ−ＦＤＭＡは、送信電力効率の観点から、低いＰＡＰＲがモバイル端末に利益をもたらすアップリンク通信において利用されうる。
【００２６】
図１に示すように、１つの態様にしたがった多元接続無線通信システム１００が例示される。アクセス・ポイント１０２（ＡＰ）は、１つは１０４および１０６を含み、別の１つは１０８および１１０を含み、さらに別の１つは１１２および１１４を含む複数のアンテナ・グループを含む。図１では、おのおののアンテナ・グループについて２本のアンテナしか示されていない。しかしながら、おのおののアンテナ・グループについて、それより多くまたはそれより少ないアンテナが利用されうる。アクセス端末１１６（ＡＴ）はアンテナ１１２およびアンテナ１１４と通信しており、アンテナ１１２、１１４は、順方向リンク１２０でアクセス端末１１６へ情報を送信し、逆方向リンク１１８でアクセス端末１１６から情報を受信する。アクセス端末１２２は、アンテナ１０６、１０８と通信しており、アンテナ１０６、１０８は、順方向リンク１２６でアクセス端末１２２へ情報を送信し、逆方向リンク１２４でアクセス端末１２２から情報を受信する。ＦＤＤシステムでは、通信リンク１１８、１２０、１２４、１２６はおのおの、通信のために異なる周波数を使用することができる。例えば、順方向リンク１２０は、逆方向リンク１１８によって使用されるものとは異なる周波数を使用することができる。
【００２７】
通信するように設計された領域および／またはアンテナのおのおののグループはしばしば、アクセス・ポイントのセクタと称される。態様では、アンテナ・グループは各々、アクセス・ポイント１０２によってカバーされた領域のセクタ内のアクセス端末に通信するように設計される。
【００２８】
順方向リンク１２０、１２６による通信では、アクセス・ポイント１０２の送信アンテナは、別のアクセス端末１１６、１２４の順方向リンクの信号対雑音比を改善するために、ビームフォーミングを利用する。さらに、有効範囲領域にわたってランダムに散在するアクセス端末へ送信するためにビームフォーミングを用いるアクセス・ポイントは、全てのアクセス端末へ単一のアンテナによって送信するアクセス・ポイントよりも、近隣のセル内のアクセス端末に対して少ない干渉しかもたらさない。
【００２９】
アクセス・ポイントは、端末との通信のために使用される固定局であり、基地局、ノードＢ、ｅノードＢ、またはその他いくつかの専門用語でも称されうる。アクセス端末はまた、ユーザ端末、ユーザ機器（ＵＥ）、無線通信デバイス、端末、あるいはその他のいくつかの用語で称される。
【００３０】
図２は、ＭＩＭＯシステム２００における送信機システム２１０および受信機システム２５０の態様のブロック図である。送信機および受信機システムは、アクセス・ポイントまたはアクセス端末に存在しうる。送信機システム２１０では、多くのデータ・ストリーム用のトラフィック・データが、データ・ソース２１２から送信（ＴＸ）データ・プロセッサ２１４に提供される。
【００３１】
態様では、データ・ストリームはおのおのの、それぞれの送信アンテナを介して送信される。ＴＸデータ・プロセッサ２１４は、おのおののデータ・ストリームのトラフィック・データをフォーマットし、このデータ・ストリームのために選択された特定の符号化スキームに基づいて符号化し、インタリーブして、符号化されたデータを提供する。
【００３２】
おのおののデータ・ストリームの符号化されたデータは、ＯＦＤＭ技術を用いてパイロット・データと多重化されうる。パイロット・データは一般に、既知の手法で処理される既知のデータ・パターンであり、チャネル応答を推定するために受信機システムにおいて使用されうる。各データ・ストリームの多重化されたパイロットおよび符号化されたデータは、その後、変調シンボルを提供するためにデータ・ストリームについて選択された特定の変調スキーム（例えば、バイナリ・フェーズ・シフト・キーイング（ＢＰＳＫ）、直交フェーズ・シフト・キーイング（ＱＰＳＫ）、Ｍ−ＰＳＫ、またはＭ−ＱＡＭ（直交振幅変調））に基づいて変調（すなわち、シンボル・マップ）される。おのおののデータ・ストリームのデータ・レート、符号化、および変調は、例えばチャネル状態情報（ＣＳＩ）のように、送信機システムと受信機システムとの間の通信リンクに関する情報を利用するプロセッサ２３０によって実行される命令群によって決定される。システム設定パラメータ、または、計算された１または複数のパラメータの以前の値を格納しうるメモリ２３２が、プロセッサ２３０に接続されうる。
【００３３】
すべてのデータ・ストリームの変調シンボルは、（例えば、ＯＦＤＭのために）変調シンボルをさらに処理するＴＸ  ＭＩＭＯプロセッサ２２０に提供される。ＴＸ  ＭＩＭＯプロセッサ２２０はその後、ＮＴ個の変調シンボル・ストリームを、ＮＴ個の送信機（ＴＭＴＲ）２２２ａ乃至２２２ｔへ提供する。ある態様では、ＴＸ  ＭＩＭＯプロセッサ２２０は、データ・ストリームのシンボル、および、そのシンボルが送信されるアンテナへ、ビームフォーミング重みを適用する。
【００３４】
おのおのの送信機２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。送信機２２２ａ乃至２２２ｔからのＮＴ個の変調信号は、その後、ＮＴ個のアンテナ２２４ａ乃至２２４ｔからそれぞれ送信される。
【００３５】
受信機システム２５０では、送信された変調信号がＮＲ個のアンテナ２５２ａ乃至２５２ｒによって受信され、おのおののアンテナ２５２からの受信信号が、それぞれの受信機（ＲＣＶＲ）２５４ａ乃至２５４ｒへ提供される。おのおのの受信機２５４は、受信したそれぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００３６】
ＲＸデータ・プロセッサ２６０は、ＮＲ個の受信機２５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ２６０は、さらに、検出された各シンボル・ストリームを復調、デインタリーブ、および復号し、データ・ストリームのトラフィック・データを復元する。ＲＸデータ・プロセッサ２６０による処理は、送信機システム２１０におけるＴＸ  ＭＩＭＯプロセッサ２２０およびＴＸデータ・プロセッサ２１４によって実行されるものと相補的である。
【００３７】
プロセッサ２７０は、行列インデクス部およびランク値部を備えた逆方向リンク・メッセージを規定することができる。これら逆方向リンク・メッセージは、通信リンクおよび／または受信データ・ストリームに関する様々なタイプの情報を含みうる。逆方向リンク・メッセージは、多くのデータ・ストリームのトラフィック・データをデータ・ソース２３６から受け取るＴＸデータ・プロセッサ２３８によって処理され、変調器２８０によって変調され、送信機２５４ａ乃至２５４ｒによって調整され、基地局２１０へ送り戻される。
【００３８】
送信機システム２１０では、受信機システム２５０からの変調された信号が、アンテナ２２４によって受信され、受信機２２２によって調整され、復調器２４０によって復調され、ＲＸデータ・プロセッサ２４２によって処理されて、受信機システム２５０によって送信された逆方向リンク・メッセージが抽出される。さらに、プロセッサ２３０は、ビームフォーミング重みを決定するためにどのプリコーディング行列を使用するかを決定し、この抽出されたメッセージを処理する。
【００３９】
図３は、多くのユーザをサポートするように構成された無線通信システム３００を例示する。ここでは、開示されたさまざまな実施形態および態様が実現される。図３に示すように、一例として、システム３００は、例えばマクロ・セル３０２ａ−３０２ｇのような複数のセル３０２のための通信を提供する。ここで、おのおののセルは、対応するアクセス・ポイント（ＡＰ）３０４（例えば、ＡＰ３０４ａ−３０４ｇ）によってサービス提供される。おのおののセルはさらに、（例えば、１または複数の周波数をサービス提供するために、）１または複数のセクタへ分割されうる。ユーザ機器（ＵＥ）あるいは移動局としても置換可能に知られており、ＡＴ３０６ｂ−３０６ｊを含むさまざまなアクセス端末（ＡＴ）３０６が、システム全体にわたって分布している。ＵＥ３０６はおのおのの、例えば、ＵＥがアクティブであるか、および、ソフト・ハンドオフにあるかに依存して、所与の瞬間において、順方向リンク（ＦＬ）および／または逆方向リンク（ＲＬ）によって、１または複数のＡＰ３０４と通信することができる。無線通信システム３００は、大きな地理的領域にわたってサービスを提供することができ、例えば、マクロ・セル３０２ａ−３０２ｇは、小さな地理的領域をカバーしうる。
【００４０】
本開示のある態様は、ユニキャスト送信のために、未使用のマルチメディア・ブロードキャスト・オーバ・シングル周波数ネットワーク（ＭＢＳＦＮ）サブフレームを利用する方法および装置を提案する。提案された方法は、効率的なサイクリック・プレフィクス（ＣＰ）およびＭＢＳＦＮフレーム構造設計と、ＭＢＳＦＮサブフレームの存在時におけるハイブリッド自動反復要求（ＨＡＲＱ）フィードバックのために最適化されたサブフレーム／キャリア・バンドリング・ウィンドウ設計とを含む。
【００４１】
ある態様については、フレーム内の未使用のＭＢＳＦＮサブフレームは、ユニキャスト送信のために使用されうる。ＭＢＳＦＮサブフレームは、マルチメディア・ブロードキャストおよびマルチキャスト・サービス（ＭＢＭＳ）に関する情報を、例えば、位置決め、中継バックホール等のようなその他のサービスとともに伝送するために、システム情報ブロードキャスト（例えば、システム情報ブロック・タイプ２（ＳＩＢ２））によって設定されるサブフレームでありうる。
【００４２】
ＭＢＳＦＮサブフレームは、ＳＩＢ２メッセージによって設定されうるので、これらの設定は、半固定的でありうる。一般に、この設定は、数時間毎に変化しうる。しかしながら、ＭＢＳＦＮサービスのために確保された幾つかのＭＢＭＳサブフレームは、サービス提供ＭＢＭＳにおけるレート変動やその他の理由によって、使用されないままでありうる。ある態様については、確保されているものの使用されていないＭＢＳＦＮサブフレームが、ユニキャスト・サービスの送信のために利用されうる。
【００４３】
ＳＩＢ２によって、ＭＢＳＦＮサブフレーム（例えば、ユニキャスト・サブフレーム）として設定されていないサブフレームは、通常のサイクリック・プレフィクス（ＣＰ）または延長されたサイクリック・プレフィクス（ＣＰ）かの何れかを有しうる。しかしながら、制御領域およびデータ領域の両方を含むサブフレームの全体は、単一タイプのＣＰを使用しうる。サイクリック・プレフィクスは、シンボルの先頭に、シンボルの一部のコピーを追加することを称する。サイクリック・プレフィクスは、シンボル間干渉を低減または除去するために使用されうる。
【００４４】
ＭＢＳＦＮサブフレームでは、最初の２つのシンボルが、制御のために使用されうる。これらの制御シンボル（非ＭＢＳＦＮシンボルとも称される）は、サブフレーム番号ゼロのために使用されるＣＰに類似したＣＰを仮定しうる。サブフレーム番号ゼロは、通常のＣＰまたは延長されたＣＰを利用するユニキャスト送信のためにのみ使用されうる。ＭＢＳＦＮ関連サービスのために使用されうるＭＢＳＦＮサブフレームにおける残りのＯＦＤＭシンボルは、延長されたＣＰを利用しうる。したがって、ＭＢＳＦＮサブフレームの制御領域は、サブフレーム番号ゼロに続いて、通常のＣＰまたは延長されたＣＰを受け付けることができる。しかしながら、データ領域は、延長されたＣＰしか受け付けない。
【００４５】
サブフレームが、混合ＣＰ（例えば、制御のために、通常のＣＰ、データのために、延長されたＣＰ）を利用する場合、延長されたサイクリック・プレフィクスを用いるシンボルの開始位置は、すべてのシンボルが、延長されたサイクリック・プレフィクスを用いる時間スロットにおけるものと同一でありうる。したがって、送信された信号が指定されておらず、使用されていない２つのサイクリック・プレフィクス領域間の時間スロット部分が存在しうる。混合ＣＰケースにおける時間スロットの未使用部分は、非効率的なシステムとなりうる。さらに、ユニキャスト・トラフィックの場合、通常のＣＰを用いた動作は、延長されたＣＰを用いた動作よりも効率的でありうる。なぜなら、延長されたＣＰにおける追加のＣＰ持続時間は、ユニキャスト・トラフィックのために不要でありうるからである。
【００４６】
ある態様の場合、ＭＢＳＦＮサブフレームがユニキャスト送信のために使用される場合、データ領域は、ＭＢＳＦＮサブフレーム内の未使用の時間を除去するために、制御領域におけるＣＰに類似したＣＰを利用しうる。これは、通常のＣＰを利用する、より効率的な動作となりうる。言い換えれば、サブフレームがユニキャストのために使用される場合、サブフレーム番号ゼロのＣＰに類似したＣＰが、ＭＢＳＦＮサブフレーム全体に適用されうる。
【００４７】
図４は、ＭＢＳＦＮを適用しうる無線ネットワーク４００を例示する。システム４００は、無線ネットワークを介した１または複数のユーザ機器４３０への通信が可能なエンティティでありうる、１または複数のアクセス・ポイント４２０を含む。ある態様によれば、アクセス・ポイントは、ユニキャスト・メッセージの送信のために、未使用のＭＢＳＦＮサブフレームを利用しうる。アクセス・ポイント４２０は、ＭＢＳＦＮ／非ＭＢＳＦＮサブフレーム設定構成要素４２２と、ユニキャスト・メッセージ生成構成要素４２４と、パターン決定構成要素４２６と、ＭＢＳＦＮサブフレーム送信構成要素４２８とを含みうる。
【００４８】
ＭＢＳＦＮサブフレーム設定構成要素４２２は、ＭＢＳＦＮサービスのための１または複数のサブフレームと、非ＭＢＳＦＮサービスのための１または複数のサブフレームとを設定しうる。ユニキャスト・メッセージ生成構成要素４２４は、ＭＢＳＦＮサブフレーム設定構成要素４２２によって設定されるＭＢＳＦＮサブフレームのうちの少なくとも１つで送信されるべきユニキャスト・メッセージを生成しうる。パターン決定構成要素４２６は、ＭＢＳＦＮサブフレーム設定構成要素４２２によって生成されたユニキャスト・メッセージを用いて少なくとも１つのＭＢＳＦＮサブフレームで送信されるべき１または複数の基準信号（ＲＳ）のパターンを決定しうる。このパターンは、非ＭＢＳＦＮサブフレームで送信されるべき別の１または複数のＲＳのためのパターンに基づいて決定されうる。例えば、このパターンは、信号の送信モードに依存して、共通の基準信号パターン、または、ＵＥ特有の基準信号パターンでありうる。ＭＢＳＦＮサブフレーム送信構成要素４２８は、決定されたパターンにしたがって、ＲＳとともにユニキャスト・メッセージを伝送する、生成されたＭＢＳＦＮサブフレーム４５０を送信しうる。
【００４９】
ＵＥ４３０は、ＭＢＳＦＮサブフレーム受信構成要素４３２を用いてＭＢＳＦＮサブフレームを受信しうる。ＲＳ測定構成要素４３４は、ＭＢＳＦＮサブフレームにおいて、ユニキャスト・メッセージと共に受信された１または複数のＲＳを測定するように構成されうる。前述したように、ＲＳは、非ＭＢＳＦＮサブフレームで受信されたＲＳのパターンに基づいて決定されたパターンで受信されうる。ユニキャスト・メッセージが正確に受信された場合、ＵＥは、ＡＰにアクノレッジメント・メッセージを送信しうる。ＵＥは、アクノレッジメント生成構成要素４３６を用いて、アクノレッジメントを生成しうる。ＵＥは、アクノレッジメント送信構成要素４３８を用いて、生成されたアクノレッジメント・メッセージをＡＰへ送信しうる。
【００５０】
図５は、本開示のある態様にしたがって、ユニキャスト送信のためにＭＢＳＦＮサブフレームを再使用するためにアクセス・ポイントによって実行されうる動作５００の例を例示する。５０２では、アクセス・ポイントが、フレームの１または複数のサブフレームを、ＭＢＳＦＮサブフレームとして、１または複数のサブフレームを、非ＭＢＳＦＮサブフレームとして設定する。５０４では、アクセス・ポイントが、ＭＢＳＦＮサブフレームのうちの少なくとも１つで送信されるべきユニキャスト・メッセージを生成する。例として、サービス提供ＭＢＭＳにおけるレート変動によって、一定数のＭＢＳＦＮサブフレームが未使用のままである場合、ＡＰは、ユニキャスト・メッセージを送信するために、ＭＢＳＦＮサブフレームを使用することを決定しうる。例えば、ＡＰは、未使用のＭＢＳＦＮサブフレームの数をカウントしうる。未使用のＭＢＳＦＮサブフレームの数が、しきい値以上である場合、ＡＰは、ユニキャスト送信のために、未使用のＭＢＳＦＮサブフレームの使用を開始しうる。
【００５１】
５０６では、アクセス・ポイントは、ユニキャスト・メッセージとともに少なくとも１つのＭＢＳＦＮサブフレームにおいて送信されるべき１または複数の基準信号（ＲＳ）のパターンを決定する。このパターンは、非ＭＢＳＦＮサブフレームで送信されるべき別の１または複数のＲＳのためのパターンに基づいて決定される。ある態様の場合、パターンは、物理ダウンリンク共有チャネル（ＰＤＳＣＨ）送信スキームに基づいて決定されうる。例えば、このパターンは、ＣＲＳベースのＰＤＳＣＨ送信スキームのための共通の基準信号（ＣＲＳ）パターンでありうる。別の例として、このパターンは、ＵＥ−ＲＳベースのＰＤＳＣＨ送信スキームにおいて、ユーザ機器に特有の基準信号パターンでありうる。
【００５２】
５０８では、アクセス・ポイントが、少なくとも１つのＭＢＳＦＮサブフレームにおいて決定されたパターンにしたがって、ＲＳとともに、ユニキャスト・メッセージを含む少なくとも１つのＭＢＳＦＮサブフレームを送信する。ＵＥは、受信された情報を、図６に記載されたステップにしたがって使用しうる。
【００５３】
ある態様の場合、ＡＰは、ユニキャスト送信のために使用されているＭＢＳＦＮサブフレームの数を示す情報を用いて、１または複数のＵＥにシグナルしうる。ある態様では、ユニキャスト・サブフレームがＭＢＳＦＮサブフレームよりも大きい場合、ユニキャスト・サブフレームは、複数のＭＢＳＦＮサブフレームを用いて送信されうる。同様に、ユニキャスト・サブフレームがＭＢＳＦＮサブフレームより小さい場合、ＭＢＳＦＮサブフレームにおいて複数のユニキャスト・サブフレームが送信されうる。
【００５４】
図６は、本開示のある態様にしたがって、ユニキャスト送信のために未使用のＭＢＳＦＮサブフレームを再使用するためにユーザ機器によって実行されうる動作６００の例を例示する。６０２では、ＵＥは、ＭＢＳＦＮサブフレームとして設定された少なくとも１つのサブフレームで、ユニキャスト・メッセージを受信する。６０４では、ＵＥは、ＭＢＳＦＮサブフレームにおいて、ユニキャスト・メッセージとともに受信された１または複数のＲＳを測定する。ここで、ＲＳは、非ＭＢＳＦＮサブフレームで受信されたＲＳのためのパターンに基づいて決定されたパターンで受信される。例えば、ＵＥは、ＭＢＳＦＮサブフレームがユニキャスト・メッセージを伝送しているか否かを判定するために、この測定を使用しうる。その後、ＵＥは、ユニキャスト・メッセージで受信された情報を処理しうる。
【００５５】
図７は、従来のＭＢＳＦＮサブフレーム構造を例示する。これは、制御領域７０２およびデータ領域７０４を含んでいる。データ領域７０４は、トラフィック（例えば、ＭＢＳＦＮシンボル）およびＭＢＳＦＮ基準信号を伝送しうる。
【００５６】
図８は、本開示のある態様にしたがって、ユニキャスト送信またはトラフィックのために使用される場合におけるＭＢＳＦＮサブフレーム構造を例示する。例示されるように、サブフレームは、制御領域８０２およびデータ領域８０４を含みうる。ＭＢＳＦＮサブフレームがユニキャスト送信またはトラフィックのために使用される場合、データ領域８０４の全体が、共通のＲＳ（ＣＲＳ）を伝送しうる通常のユニキャスト・サブフレームのデータ領域に変換されることが仮定されうる。図８に例示されるように、ＭＢＳＦＮシンボルにＣＲＳを含めることは必要ではないかもしれない。しかしながら、これは、例えば、専用のＲＳまたはＵＥ特有のＲＳ（例えば、ＵＥ−ＲＳ）が好まれるバックホールを中継することのように、将来の技術に悪影響を与えうる。したがって、図９に例示されるように、ＭＢＳＦＮサブフレームにおけるＲＳ信号のパターンが提案される。
【００５７】
図９は、本開示のある態様にしたがって、ユニキャスト送信またはトラフィックのために使用される場合に提案されたＭＢＳＦＮサブフレーム構造を例示する。例示するように、提案されたサブフレーム構造は、制御領域９０２およびデータ領域９０４を含みうる。データ領域９０４は、何れのＭＢＳＦＮ  ＲＳ信号も共通のＲＳ信号をも含んでいないかもしれない。提案された構造では、ユニキャスト・トラフィックのためのサポートは、ＵＥ特有のＲＳによって実現されうる。例えば、おのおののＵＥは、ＵＥに特化されたＲＳとともにユニキャスト・メッセージを受信しうる。
【００５８】
ある態様の場合、ＵＥは、サブフレーム内の基準信号を処理することによって、ユニキャスト送信のために使用されるＭＢＳＦＮサブフレームを識別しうる。例えば、ＭＢＳＦＮサブフレームが、ＭＢＳＦＮメッセージを送信するために使用される場合、サブフレームは、図７に例示されるように、ＭＢＳＦＮ基準信号を用いて送信されうる。一方、ＭＢＳＦＮサブフレームが、ユニキャスト・メッセージの送信のために使用される場合、サブフレームは、ＭＢＳＦＮ基準信号を含まない場合がありうる。代わりに、サブフレームは、ユニキャスト送信のために使用される場合、図８および図９に例示されるように、ＵＥ特有の基準信号または共通の基準信号を含みうる。
【００５９】
ＲＳはまた、ダウンリンク制御情報（ＤＣＩ）メッセージのフォーマットに依存しうる。例えば、ＤＣＩフォーマットは、０、１Ａ、１Ｂ、１Ｃ、１Ｄ、２および２Ａを含みうる。あるいは、ある実施形態の場合、ＲＳは、物理ダウンリンク制御（ＰＤＳＣＨ）送信スキームに依存しうる。例えば、ＰＤＳＣＨは、ＤＣＩフォーマット１Ａによってスケジュールされた物理ダウンリンク共有チャネル（ＰＤＳＣＨ）のために、短縮ＣＲＳパターンを用いて送信ダイバーシティ・スキームを使用しうる。短縮ＣＲＳパターンでは、ＣＲＳは、ダウンリンク帯域幅全体ではなく、割り当てられたＰＤＳＣＨ帯域幅内でのみ送信されうる。ＵＥ−ＲＳベースのＰＤＳＣＨ送信の場合、ＵＥに特有のＲＳのみが使用されうる。したがって、ＣＲＳは、割り当てられたＰＤＳＣＨ送信のために送信されない場合がある。
【００６０】
時分割デュプレクス（ＴＤＤ）システムでは、複数のダウンリンク・サブフレームが、ハイブリッド自動反復要求（ＨＡＲＱ）アクノレッジメント（ＡＣＫ）／否定的なアクノレッジメント（ＮＡＣＫ）フィードバックに関して、１つのアップリンク（ＵＬ）サブフレームにマップされうる。これらサブフレームのセットは、ダウンリンク・サブフレーム・バンドリング・ウィンドウと呼ばれる。そのサイズは、Ｍによって表されうる。
【００６１】
図１０は、ＴＤＤシステムにおけるダウンリンク・サブフレーム・バンドリング・ウィンドウを例示する。例示されるように、アップリンク・サブフレーム１００４は、共通のＤＬサブフレーム・バンドリング・ウィンドウ１００６内にある１または複数のＤＬサブフレーム１００２に対応するＡＣＫメッセージ１００８（または、図１０には示されていないＮＡＣＫメッセージ）を伝送しうる。ＤＬサブフレーム１、…、ｎは、ＤＬサブフレーム・バンドリング・ウィンドウ１に対応し、ＤＬサブフレームｎ＋１，ｎ＋２，・・・は、ＤＬサブフレーム・バンドリング・ウィンドウ２に対応する。アップリンク・サブフレーム（例えば、ＵＬサブフレーム１）は、ＤＬサブフレーム・バンドリング・ウィンドウ１００６（例えば、ＤＬサブフレーム・バンドリング・ウィンドウ１）におけるすべてのＤＬサブフレームのためのＡＣＫ／ＮＡＣＫメッセージを伝送しうる。
【００６２】
１つのＵＬサブフレームにおいてＭ個のサブフレームのためのＨＡＲＱフィードバックをサポートするために、ＵＥは、バンドリング・モードまたは多重化モードの何れかで動作するように設定されうる。バンドリング・モードでは、２つのコードワードに対応する最大２ビットが、アクセス・ポイントへ返送されうる。おのおののビットは、単一のＵＬサブフレーム１００４に関連付けられたＭ個のダウンリンク（ＤＬ）サブフレームにわたるコードワード毎の論理的ＡＮＤ演算を示しうる。バンドリング・モードまたは多重化モードの何れかにおいてアクノレッジメント・メッセージを生成することは、図４におけるアクノレッジメント生成構成要素４３６によって実行されうる。
【００６３】
多重化モードでは、最大Ｍ＝４のサブフレームを表しうる最大４ビットが、アクセス・ポイントへ返送されうる。おのおののビットは、ＤＬサブフレーム内の複数のコードワードにわたる空間ＡＣＫ／ＮＡＣＫバンドリングを表しうる。おのおののビットは、対応するすべての個々のＡＣＫ／ＮＡＣＫにおいて、論理的ＡＮＤ演算を実行することによって生成されうる。これらＭ個のサブフレームは、連続的なダウンリンク・サブフレームでありうるが、時間的に連続しているのではないことが注目されるべきである。１または複数のＵＬサブフレームが、おのおの２つのＤＬサブフレーム間で送信されうる。
【００６４】
ＭＢＳＦＮサブフレームがユニキャストのために使用されない場合、これらサブフレームのためにＡＣＫ／ＮＡＣＫを送信する必要はない場合がある。したがって、ある態様の場合、Ｍは以下のように定義されうる。Ｍ≧ＭＮｏｎ−ＭＢＳＦＮ、ここで、ＭＮｏｎ−ＭＢＳＦＮは、ユニキャスト・サブフレーム（例えば、非ＭＢＳＦＮサブフレーム）を表す。
【００６５】
ある態様では、ＭＢＳＦＮサブフレームがユニキャストのために使用される場合、これらのＭＢＳＦＮサブフレームは、サブフレーム・バンドリング・ウィンドウの一部としてカウントされうる。サブフレーム・バンドリング・ウィンドウを正しく決定できるようにするために、ＵＥにこの情報が伝えられねばならない。例えば、この情報をシグナルするために、プロトコル・スタックのレイヤ２（例えば、媒体アクセス制御（ＭＡＣ）およびラジオ・リンク制御（ＲＬＣ））またはレイヤ３（例えば、ラジオ・リソース制御（ＲＲＣ））が使用されうる。ユニキャストのためにＭＢＳＦＮサブフレームを再使用することが、動的な方式で開始される場合、ＵＥは、Ｍ以下でありうる固定サブフレーム・バンドリング・ウィンドウを仮定しうる。
【００６６】
ある態様については、同様の設計哲学が、マルチ・キャリア動作に適用されうる。複数のＤＬキャリアが、１つのＵＬキャリアからのＨＡＲＱフィードバックに依存することが可能でありうる。したがって、キャリアのうちのいくつかが、ＭＢＳＦＮのために設定される場合、複数のキャリア上であるが同じサブフレーム上である等価のキャリア・バンドリング・ウィンドウが、１つのＨＡＲＱフィードバック・メッセージに依存しうる。複数のキャリアおよび／または複数のサブフレームが、単一のＨＡＲＱフィードバック・メッセージに依存する場合、バンドリング・ウィンドウは、ＭＢＳＦＮのために設定されたサブフレーム数を考慮するために、半固定的にまたは動的に生成／更新されうる。
【００６７】
例えば、効率的なＣＰ設計、ＭＢＳＦＮサブフレームがユニキャストのために使用される場合における新たなＭＢＳＦＮ構造、および、ＭＢＳＦＮサブフレームの存在時におけるＨＡＲＱフィードバックのために最適化されたサブフレーム／キャリア・バンドリング・ウィンドウを利用することのように、ユニキャスト送信のために未使用のＭＢＳＦＮサブフレームを利用することを容易にするために、本開示では、いくつかの設計態様が説明されている。
【００６８】
上述した方法のさまざまな動作は、対応する機能を実行することが可能な任意の適切な手段によって実行されうる。これら手段は、限定される訳ではないが、回路、特定用途向け集積回路（ＡＳＩＣ）、またはプロセッサを含むさまざまなハードウェア構成要素および／またはソフトウェア構成要素および／またはモジュールを含みうる。一般に、図面に例示された動作が存在する場合、これら動作は、同じ符番を付された対応するｍｅａｎｓ−ｐｕｌｓ−ｆｕｃｔｉｏｎ構成要素を有しうる。
【００６９】
例えば、図５に例示される動作５００は、図５Ａに例示される手段５００Ａに対応する。１または複数サブフレームを設定する手段５０２Ａは、例えば、図４に例示されているアクセス・ポイント４２０のＭＢＳＦＮ／非ＭＢＳＦＮサブフレーム設定構成要素４２２のような、任意の適切なタイプの設定構成要素を備えうる。ユニキャスト・メッセージを生成する手段５０４Ａは、例えば、図４に例示されているアクセス・ポイント４２０のユニキャスト・メッセージ生成構成要素４２４のような、任意の適切なタイプの生成構成要素を備えうる。パターンを決定する手段５０６Ａは、例えば、図４に例示されているアクセス・ポイント４２０のパターン決定構成要素４２６のような、任意の適切なタイプの決定構成要素を備えうる。これらの構成要素は、例えば、図２に例示される送信機システム２１０のＴＸデータ・プロセッサ２１４および／またはプロセッサ２３０のような１または複数のプロセッサのような、任意の適切な構成要素を用いて実現されうる。送信する手段５０８Ａは、図４に示されるアクセス・ポイント４２０のＭＢＳＦＮサブフレーム送信構成要素４２８のような適切な送信構成要素を備えうる。
【００７０】
同様に、図６において例示される動作６００は、図６Ａにおいて例示される手段６００Ａに対応する。受信する手段は、図４に示されるユーザ機器４３０のＭＢＳＦＮサブフレーム受信構成要素４３２のような、任意の適切な受信構成要素を備えうる。１または複数の基準信号を測定する手段６０４Ａは、例えば、図４に示されるユーザ機器４３０のＲＳ測定構成要素４３４のような、任意の適切な測定構成要素を備えうる。これらの構成要素は、例えば、図２に例示される受信機システム２５０のＲＸデータ・プロセッサおよび／またはプロセッサ２７０のような１または複数のプロセッサのような、任意の適切な構成要素で実現されうる。
【００７１】
本開示に関連して説明されたさまざまな例示的な論理ブロック、モジュール、および回路を、汎用プロセッサ、デジタル信号プロセッサ（ＤＳＰ）、特定用途向け集積回路（ＡＳＩＣ）、フィールド・プログラマブル・ゲートアレイ信号（ＦＰＧＡ）もしくはその他のプログラマブル論理デバイス（ＰＬＤ）、ディスクリート・ゲートもしくはトランジスタ・ロジック、ディスクリート・ハードウェア構成要素、または本明細書で説明される機能を実行するように設計されたその任意の組み合わせを用いて実施または実行することができる。汎用プロセッサは、マイクロ・プロセッサとすることができるが、代替案では、プロセッサを、任意の市販のプロセッサ、コントローラ、マイクロコントローラ、または順序回路とすることができる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００７２】
本開示に関連して説明された方法またはアルゴリズムのステップを、ハードウェアで直接的に、プロセッサによって実行されるソフトウェア・モジュールによって、またはこの２つの組合せによって実施することができる。ソフトウェア・モジュールは、当該技術分野において周知のすべての形式の記憶媒体に常駐することができる。使用できる記憶媒体のいくつかの例は、ランダム・アクセス・メモリ（ＲＡＭ）、読取専用メモリ（ＲＯＭ）、フラッシュメモリ、ＥＰＲＯＭメモリ、ＥＥＰＲＯＭメモリ、レジスタ、ハードディスク、リムーバブル・ディスク、ＣＤ−ＲＯＭなどを含む。ソフトウェア・モジュールは、単一の命令または複数の命令を備えることができ、複数の異なるコード・セグメント上で、異なるプログラムの間で、および複数の記憶媒体にまたがって分散させることができる。記憶媒体を、プロセッサが記憶媒体から情報を読み取り、記憶媒体に情報を書き込めるように、プロセッサに結合することができる。あるいは、この記憶媒体は、プロセッサに統合されうる。
【００７３】
本明細書で開示された方法は、説明された方法を達成するための１または複数のステップまたは動作を備える。方法ステップおよび／または動作は、特許請求の範囲のスコープから逸脱せずに相互に置換することができる。言い換えると、ステップまたは動作の特定の順序が指定されていない限り、特定のステップおよび／または動作の順序および／または使用は、特許請求の範囲のスコープから逸脱せずに変更されうる。
【００７４】
記載された機能は、ハードウェア、ソフトウェア、ファームウェア、またはこれら任意の組み合わせによって実現されうる。ソフトウェアで実現される場合、これら機能は、コンピュータ読取可能な媒体に、１または複数の命令群として格納される。記憶媒体は、コンピュータによってアクセスされうる利用可能な任意の媒体である。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。本明細書で使用されるようなディスク（ｄｉｓｋおよびｄｉｓｃ）は、コンパクト・ディスク（ＣＤ）、レーザ・ディスク、光ディスク、デジタル多用途ディスク（ＤＶＤ）、フロッピー（登録商標）ディスク、およびＢｌｕ−ｒａｙ（登録商標）ディスクを含んでいる。ここで、ｄｉｓｋは通常、データを磁気的に再生する一方、ｄｉｓｃは、レーザを用いてデータを光学的に再生する。
【００７５】
例えば、そのようなデバイスを、本明細書で説明した方法を実行するための手段の転送を容易にするためにサーバに結合することができる。代替案では、本明細書で説明されるさまざまな方法を、記憶手段（例えば、ＲＡＭ、ＲＯＭ、コンパクト・ディスク（ＣＤ）またはフロッピー・ディスクなどの物理記憶媒体など）を介して提供することができ、ユーザ端末および／または基地局が、記憶手段をデバイスに結合するか提供するときにさまざまな方法を入手することができる。さらに、本明細書で説明された方法および技法をデバイスに提供するために、その他任意の適切な技法を利用することができる。
【００７６】
特許請求の範囲は、上述した正確な構成および構成要素に限定されないことを理解されたい。さまざまな修正、変更、および変形を、特許請求の範囲の範囲から逸脱せずに、前述した方法および装置の構成、動作、および詳細において実施することができる。
【００７７】
前述したものは、本開示の態様に向けられているが、これら開示のその他およびさらなる態様が、本願の基本的な範囲から逸脱することなく考案され、この範囲は、以下に示す特許請求の範囲によって決定される。
【図１】
2014239452.tif 000003
【図２】
2014239452.tif 000004
【図３】
2014239452.tif 000005
【図４】
2014239452.tif 000006
【図５】
2014239452.tif 000007
【図５Ａ】
2014239452.tif 000008
【図６】
2014239452.tif 000009
【図６Ａ】
2014239452.tif 000010
【図７】
2014239452.tif 000011
【図８】
2014239452.tif 000012
【図９】
2014239452.tif 000013
【図１０】
2014239452.tif 000014
【手続補正書】
【提出日】平成26年8月5日(2014.8.5)
【手続補正１】
【補正対象書類名】特許請求の範囲
【補正対象項目名】全文
【補正方法】変更
【補正の内容】
【特許請求の範囲】
【請求項１】
無線通信のための方法であって、
フレームの１または複数のサブフレームを、マルチメディア・ブロードキャスト／マルチキャスト・サービス・オーバ・シングル周波数ネットワーク（ＭＢＳＦＮ：Multimedia Broadcast/Multicast Services over a Single Frequency Network）サブフレームとして、１または複数のサブフレームを、非ＭＢＳＦＮサブフレームとして設定することと、
前記ＭＢＳＦＮサブフレームのうちの少なくとも１つで送信されるべきユニキャスト・メッセージを生成することと、
前記ユニキャスト・メッセージとともに少なくとも１つのＭＢＳＦＮサブフレームにおいて送信されるべき１または複数の基準信号（ＲＳ）のパターンを決定することと、ここで、前記パターンは、非ＭＢＳＦＮサブフレームで送信されるべき別の１または複数のＲＳのためのパターンに基づいて決定される、
前記少なくとも１つのＭＢＳＦＮサブフレームにおいて決定されたパターンにしたがって、前記ＲＳとともに、前記ユニキャスト・メッセージを含む前記少なくとも１つのＭＢＳＦＮサブフレームを送信することと、
を含む方法。
【手続補正２】
【補正対象書類名】明細書
【補正対象項目名】００７７
【補正方法】変更
【補正の内容】
【００７７】
前述したものは、本開示の態様に向けられているが、これら開示のその他およびさらなる態様が、本願の基本的な範囲から逸脱することなく考案され、この範囲は、以下に示す特許請求の範囲によって決定される。
なお、以下に、出願当初の特許請求の範囲に記載された発明を付記する。
［Ｃ１］
無線通信のための方法であって、
フレームの１または複数のサブフレームを、マルチメディア・ブロードキャスト／マルチキャスト・サービス・オーバ・シングル周波数ネットワーク（ＭＢＳＦＮ：Multimedia Broadcast/Multicast Services over a Single Frequency Network）サブフレームとして、１または複数のサブフレームを、非ＭＢＳＦＮサブフレームとして設定することと、
前記ＭＢＳＦＮサブフレームのうちの少なくとも１つで送信されるべきユニキャスト・メッセージを生成することと、
前記ユニキャスト・メッセージとともに少なくとも１つのＭＢＳＦＮサブフレームにおいて送信されるべき１または複数の基準信号（ＲＳ）のパターンを決定することと、ここで、前記パターンは、非ＭＢＳＦＮサブフレームで送信されるべき別の１または複数のＲＳのためのパターンに基づいて決定される、
前記少なくとも１つのＭＢＳＦＮサブフレームにおいて決定されたパターンにしたがって、前記ＲＳとともに、前記ユニキャスト・メッセージを含む前記少なくとも１つのＭＢＳＦＮサブフレームを送信することと、
を含む方法。
［Ｃ２］
前記決定することは、前記少なくとも１つのＭＢＳＦＮサブフレームで送信されるべきＲＳのために、非ＭＢＳＦＮサブフレームで送信されるべき別のＲＳのために使用されるものと同じパターンを用いることを備える、Ｃ１に記載の方法。
［Ｃ３］
前記パターンは、物理ダウンリンク共有チャネル（ＰＤＳＣＨ）送信スキームに基づいて決定される、Ｃ１に記載の方法。
［Ｃ４］
前記パターンは、ＣＲＳベースのＰＤＳＣＨ送信スキームのための共通の基準信号（ＣＲＳ）パターンを備える、Ｃ３に記載の方法。
［Ｃ５］
前記パターンは、ユーザ機器に特有の基準信号パターン（ＵＥ−ＲＳ）を、ＵＥ−ＲＳベースのＰＤＳＣＨ送信スキームに備える、Ｃ３に記載の方法。
［Ｃ６］
前記少なくとも１つのＭＢＳＦＮサブフレームは、共通の基準信号（ＣＲＳ）を含んでいない、Ｃ１に記載の方法。
［Ｃ７］
前記少なくとも１つのＭＢＳＦＮサブフレームに応じて、ハイブリッド自動的反復要求（ＨＡＲＱ）アクノレッジメントを受信すること、をさらに備えるＣ１に記載の方法。
［Ｃ８］
アップリンク・サブフレームで少なくとも１つのハイブリッド自動反復要求（ＨＡＲＱ）アクノレッジメントを受信することをさらに備え、
前記アップリンク・サブフレームは、複数のダウンリンク（ＤＬ）サブフレームのためのＨＡＲＱフィードバックを提供し、前記ダウンリンク・サブフレームのうちの少なくとも１つは、ＭＢＳＦＮサブフレームである、Ｃ１に記載の方法。
［Ｃ９］
前記少なくとも１つのＭＢＳＦＮサブフレームがユニキャスト送信をサポートしない場合、前記ＨＡＲＱアクノレッジメントは、前記アップリンク・サブフレームで受信されない、Ｃ８に記載の方法。
［Ｃ１０］
前記複数のダウンリンク・サブフレームは、異なるサブキャリアで送信される、Ｃ８に記載の方法。
［Ｃ１１］
ユニキャスト送信をサポートするＭＢＳＦＮサブフレーム数を示す情報を用いて、１または複数のＵＥにシグナリングすることをさらに備える、Ｃ８に記載の方法。
［Ｃ１２］
ユニキャスト送信のために使用される少なくとも１つのＭＢＳＦＮサブフレームのために、サブフレーム全体において、単一タイプのサイクリック・プレフィクスが使用される、Ｃ１に記載の方法。
［Ｃ１３］
無線通信のための方法であって、
マルチメディア・ブロードキャスト／マルチキャスト・サービス・オーバ・シングル周波数ネットワーク（ＭＢＳＦＮ：Multimedia Broadcast/Multicast Services over a Single Frequency Network）サブフレームとして設定されたフレームのうちの少なくとも１つのサブフレームにおいてユニキャスト・メッセージを受信することと、
前記ＭＢＳＦＮサブフレームにおいて、前記ユニキャスト・メッセージとともに受信された１または複数の基準信号（ＲＳ）を測定することとを備え、
前記ＲＳは、非ＭＢＳＦＮサブフレームで受信されたＲＳのためのパターンに基づいて決定されたパターンで受信される、方法。
［Ｃ１４］
前記ＲＳは、非ＭＢＳＦＮサブフレームで受信されたＲＳのために使用されるものと同じパターンのＭＢＳＦＮサブフレームで受信される、Ｃ１３に記載の方法。
［Ｃ１５］
１または複数の非ＭＢＳＦＮサブフレームのアクノレッジメントを送信することをさらに備える、Ｃ１３に記載の方法。
［Ｃ１６］
前記ユニキャスト・メッセージが、前記少なくとも１つのＭＢＳＦＮサブフレームにおいて受信された場合、アップリンク・サブフレームでハイブリッド自動反復要求（ＨＡＲＱ）アクノレッジメントを送信することをさらに備える、Ｃ１３に記載の方法。
［Ｃ１７］
アップリンク・サブフレームで少なくとも１つのハイブリッド自動反復要求（ＨＡＲＱ）アクノレッジメントを送信することをさらに備え、
前記アップリンク・サブフレームは、複数のダウンリンク（ＤＬ）サブフレームのためのＨＡＲＱフィードバックを提供し、前記ＤＬサブフレームのうちの少なくとも１つは、ＭＢＳＦＮサブフレームである、Ｃ１３に記載の方法。
［Ｃ１８］
前記少なくとも１つのＭＢＳＦＮサブフレームが前記ユニキャスト・メッセージをサポートしない場合、前記ＨＡＲＱアクノレッジメントは、前記アップリンク・サブフレームで送信されない、Ｃ１７に記載の方法。
［Ｃ１９］
前記複数のダウンリンク（ＤＬ）サブフレームは、異なるサブキャリアで受信される、Ｃ１７に記載の方法。
［Ｃ２０］
ユニキャスト送信のために使用される少なくとも１つのＭＢＳＦＮサブフレームのために、サブフレーム全体において、単一タイプのサイクリック・プレフィクスが使用される、Ｃ１３に記載の方法。
［Ｃ２１］
無線通信のための装置であって、
フレームの１または複数のサブフレームを、マルチメディア・ブロードキャスト／マルチキャスト・サービス・オーバ・シングル周波数ネットワーク（ＭＢＳＦＮ：Multimedia Broadcast/Multicast Services over a Single Frequency Network）サブフレームとして、１または複数のサブフレームを、非ＭＢＳＦＮサブフレームとして設定する手段と、
前記ＭＢＳＦＮサブフレームのうちの少なくとも１つで送信されるべきユニキャスト・メッセージを生成する手段と、
前記ユニキャスト・メッセージとともに少なくとも１つのＭＢＳＦＮサブフレームにおいて送信されるべき１または複数の基準信号（ＲＳ）のパターンを決定する手段と、ここで、前記パターンは、非ＭＢＳＦＮサブフレームで受信されるべき別の１または複数のＲＳのためのパターンに基づいて決定される、
前記少なくとも１つのＭＢＳＦＮサブフレームにおいて決定されたパターンにしたがって、前記ＲＳとともに、前記ユニキャスト・メッセージを含む前記少なくとも１つのＭＢＳＦＮサブフレームを送信する手段と、
を備える装置。
［Ｃ２２］
前記決定する手段は、前記少なくとも１つのＭＢＳＦＮサブフレームで送信されるべき前記ＲＳのために、非ＭＢＳＦＮサブフレームで送信されるべき別のＲＳのために使用されるものと同じパターンを用いる手段を備える、Ｃ２１に記載の装置。
［Ｃ２３］
前記パターンは、物理ダウンリンク共有チャネル（ＰＤＳＣＨ）送信スキームに基づいて決定される、Ｃ２１に記載の装置。
［Ｃ２４］
前記パターンは、ＣＲＳベースのＰＤＳＣＨ送信スキームのための共通の基準信号（ＣＲＳ）パターンを備える、Ｃ２３に記載の装置。
［Ｃ２５］
前記パターンは、ユーザ機器に特有の基準信号パターン（ＵＥ−ＲＳ）を、ＵＥ−ＲＳベースのＰＤＳＣＨ送信スキームに備える、Ｃ２３に記載の装置。
［Ｃ２６］
前記少なくとも１つのＭＢＳＦＮサブフレームは、共通の基準信号（ＣＲＳ）を含んでいない、Ｃ２１に記載の装置。
［Ｃ２７］
前記少なくとも１つのＭＢＳＦＮサブフレームに応じて、ハイブリッド自動的反復要求（ＨＡＲＱ）アクノレッジメントを受信する手段をさらに備える、Ｃ２１に記載の装置。
［Ｃ２８］
アップリンク・サブフレームで少なくとも１つのハイブリッド自動反復要求（ＨＡＲＱ）アクノレッジメントを受信する手段をさらに備え、
前記アップリンク・サブフレームは、複数のダウンリンク（ＤＬ）サブフレームのためのＨＡＲＱフィードバックを提供し、前記ダウンリンク・サブフレームのうちの少なくとも１つは、ＭＢＳＦＮサブフレームである、Ｃ２１に記載の装置。
［Ｃ２９］
前記少なくとも１つのＭＢＳＦＮサブフレームがユニキャスト送信をサポートしない場合、前記ＨＡＲＱアクノレッジメントは、前記アップリンク・サブフレームで受信されない、Ｃ２８に記載の装置。
［Ｃ３０］
前記複数のダウンリンク・サブフレームは、異なるサブキャリアで送信される、Ｃ２８に記載の装置。
［Ｃ３１］
ユニキャスト送信をサポートするＭＢＳＦＮサブフレーム数を示す情報を用いて、１または複数のＵＥにシグナリングする手段をさらに備える、Ｃ２８に記載の装置。
［Ｃ３２］
ユニキャスト送信のために使用される少なくとも１つのＭＢＳＦＮサブフレームのために、サブフレーム全体において、単一タイプのサイクリック・プレフィクスが使用される、Ｃ２１に記載の装置。
［Ｃ３３］
無線通信のための装置であって、
マルチメディア・ブロードキャスト／マルチキャスト・サービス・オーバ・シングル周波数ネットワーク（ＭＢＳＦＮ：Multimedia Broadcast/Multicast Services over a Single Frequency Network）サブフレームとして設定された少なくとも１つのサブフレームにおいてユニキャスト・メッセージを受信する手段と、
前記ＭＢＳＦＮサブフレームにおいて、前記ユニキャスト・メッセージとともに受信された１または複数の基準信号（ＲＳ）を測定する手段とを備え、
前記ＲＳは、非ＭＢＳＦＮサブフレームで受信されたＲＳのためのパターンに基づいて決定されたパターンで受信される、装置。
［Ｃ３４］
前記ＲＳは、非ＭＢＳＦＮサブフレームで受信されたＲＳのために使用されるものと同じパターンのＭＢＳＦＮサブフレームで受信される、Ｃ３３に記載の装置。
［Ｃ３５］
１または複数の非ＭＢＳＦＮサブフレームのアクノレッジメントを送信する手段をさらに備える、Ｃ３３に記載の装置。
［Ｃ３６］
前記ユニキャスト・メッセージが、前記少なくとも１つのＭＢＳＦＮサブフレームにおいて受信された場合、アップリンク・サブフレームでハイブリッド自動反復要求（ＨＡＲＱ）アクノレッジメントを送信する手段をさらに備える、Ｃ３３に記載の装置。
［Ｃ３７］
アップリンク・サブフレームで少なくとも１つのハイブリッド自動反復要求（ＨＡＲＱ）アクノレッジメントを送信する手段をさらに備え、
前記アップリンク・サブフレームは、複数のダウンリンク（ＤＬ）サブフレームのためのＨＡＲＱフィードバックを提供し、前記ＤＬサブフレームのうちの少なくとも１つは、ＭＢＳＦＮサブフレームである、Ｃ３３に記載の装置。
［Ｃ３８］
前記少なくとも１つのＭＢＳＦＮサブフレームが前記ユニキャスト・メッセージをサポートしない場合、前記ＨＡＲＱアクノレッジメントは、前記アップリンク・サブフレームで送信されない、Ｃ３７に記載の装置。
［Ｃ３９］
前記複数のダウンリンク（ＤＬ）サブフレームは、異なるサブキャリアで受信される、Ｃ３７に記載の装置。
［Ｃ４０］
ユニキャスト送信のために使用される少なくとも１つのＭＢＳＦＮサブフレームのために、サブフレーム全体において、単一タイプのサイクリック・プレフィクスが使用される、Ｃ３３に記載の装置。
［Ｃ４１］
無線通信のための装置であって、
フレームの１または複数のサブフレームを、マルチメディア・ブロードキャスト／マルチキャスト・サービス・オーバ・シングル周波数ネットワーク（ＭＢＳＦＮ：Multimedia Broadcast/Multicast Services over a Single Frequency Network）サブフレームとして、１または複数のサブフレームを、非ＭＢＳＦＮサブフレームとして設定し、
前記ＭＢＳＦＮサブフレームのうちの少なくとも１つで送信されるべきユニキャスト・メッセージを生成し、
前記ユニキャスト・メッセージとともに少なくとも１つのＭＢＳＦＮサブフレームにおいて送信されるべき１または複数の基準信号（ＲＳ）のパターンを決定し、ここで、前記パターンは、非ＭＢＳＦＮサブフレームで送信されるべき別の１または複数のＲＳのためのパターンに基づいて決定される、
前記少なくとも１つのＭＢＳＦＮサブフレームにおいて決定されたパターンにしたがって、前記ＲＳとともに、前記ユニキャスト・メッセージを含む少なくとも１つのＭＢＳＦＮサブフレームを送信する、ように構成された少なくとも１つのプロセッサと、
前記少なくとも１つのプロセッサに接続されたメモリと、
を備える装置。
［Ｃ４２］
無線通信のための装置であって、
マルチメディア・ブロードキャスト／マルチキャスト・サービス・オーバ・シングル周波数ネットワーク（ＭＢＳＦＮ：Multimedia Broadcast/Multicast Services over a Single Frequency Network）サブフレームとして設定された少なくとも１つのサブフレームにおいてユニキャスト・メッセージを受信し、
前記ＭＢＳＦＮサブフレームにおいて、前記ユニキャスト・メッセージとともに受信された１または複数の基準信号（ＲＳ）を測定し、
ここで、前記ＲＳは、非ＭＢＳＦＮサブフレームで受信されたＲＳのためのパターンに基づいて決定されたパターンで受信される、
ように構成された少なくとも１つのプロセッサと、
前記少なくとも１つのプロセッサに接続されたメモリと、
を備える装置。
［Ｃ４３］
無線通信のためのコンピュータ・プログラム製品であって、
フレームの１または複数のサブフレームを、マルチメディア・ブロードキャスト／マルチキャスト・サービス・オーバ・シングル周波数ネットワーク（ＭＢＳＦＮ：Multimedia Broadcast/Multicast Services over a Single Frequency Network）サブフレームとして、１または複数のサブフレームを、非ＭＢＳＦＮサブフレームとして設定し、
前記ＭＢＳＦＮサブフレームのうちの少なくとも１つで送信されるべきユニキャスト・メッセージを生成し、
前記ユニキャスト・メッセージとともに少なくとも１つのＭＢＳＦＮサブフレームにおいて送信されるべき１または複数の基準信号（ＲＳ）のパターンを決定し、ここで、前記パターンは、非ＭＢＳＦＮサブフレームで送信されるべき別の１または複数のＲＳのためのパターンに基づいて決定される、
前記少なくとも１つのＭＢＳＦＮサブフレームにおいて決定されたパターンにしたがって、前記ＲＳとともに、前記ユニキャスト・メッセージを含む前記少なくとも１つのＭＢＳＦＮサブフレームを送信する、
ためのコードを備えるコンピュータ読取可能な媒体を備える、コンピュータ・プログラム製品。
［Ｃ４４］
無線通信のためのコンピュータ・プログラム製品であって、
マルチメディア・ブロードキャスト／マルチキャスト・サービス・オーバ・シングル周波数ネットワーク（ＭＢＳＦＮ：Multimedia Broadcast/Multicast Services over a Single Frequency Network）サブフレームとして設定された少なくとも１つのサブフレームにおいてユニキャスト・メッセージを受信し、
前記ＭＢＳＦＮサブフレームにおいて、前記ユニキャスト・メッセージとともに受信された１または複数の基準信号（ＲＳ）を測定し、
前記ＲＳは、非ＭＢＳＦＮサブフレームで受信されたＲＳのためのパターンに基づいて決定されたパターンで受信される、
ためのコードを備えるコンピュータ読取可能な媒体を備える、コンピュータ・プログラム製品。
【外国語明細書】
2014239452000001.pdf